(57)【要約】      （修正有）【課題】雨天時においても自転車用ペダルの踏面の滑り止め効果が優れた自転車用ペダルを提供する。【解決手段】足裏の拇指球部分が当接する部位に配設させたゴム部材または合成樹脂部材に、粒径が１ｍｍ程度のコルクチップあるいは木屑、または無機質粒状物が混入された構成とする。【選択図】図２
0003165902.tif 000002
【実用新案登録請求の範囲】
【請求項１】
自転車用ペダルにおいて、足裏の拇指球部分が当接する部位に配設させたゴム部材または合成樹脂部材に、粒径が０．１〜１．５ｍｍのコルクチップあるいは木屑が混入されたことを特徴とする自転車用ペダル。
【請求項２】
自転車用ペダルにおいて、足裏の拇指球部分が当接する部位に配設させたゴム部材または合成樹脂部材に、粒径が０．１〜１．５ｍｍの無機質粒状物が混入されたことを特徴とする自転車用ペダル。
【請求項３】
足裏の拇指球部分に配設させた前記ゴム部材または合成樹脂部材の表面に、波紋状のうねが形成されたことを特徴とする請求項１又は２に記載の自転車用ペダル。
【請求項４】
前記ゴム部材または合成樹脂部材の外側輪郭が、大きさの異なる２個又は３個の楕円体を部分的に重ね合わせた形状を呈することを特徴とする請求項３に記載の自転車用ペダル。
【考案の詳細な説明】
【技術分野】
【０００１】
本考案は、踏面に滑り止め部材が貼着された自転車用ペダルの技術に関するものである。
【背景技術】
【０００２】
従来から、自転車用ペダルの踏面に、ゴム部材等の滑り止めシートを貼着して滑り止め効果を向上させたペダルが実用化されている（例えば、特許文献１を参照。）。
しかしながら、従来の滑り止めシートでは、雨天時の場合の滑り止め効果が少ないといった問題点がある。
優れた防滑性、クッション性，耐久性を奏する自転車用ペダルの滑り止め部材が求められている。
【先行技術文献】
【特許文献】
【０００３】
【特許文献１】実開平６−４４６９５号公報
【考案の概要】
【考案が解決しようとする課題】
【０００４】
上記状況に鑑みて、本考案は、雨天時においても、自転車用ペダルの踏面の滑り止め効果が優れた自転車用ペダルを提供することを目的とする。
【課題を解決するための手段】
【０００５】
上記目的を達成すべく、本考案の第１の観点の自転車用ペダルは、足裏の拇指球部分が当接する部位に配設させたゴム部材または合成樹脂部材に、粒径が０．１〜１．５ｍｍのコルクチップあるいは木屑が混入された構成とする。
かかる構成によれば、細かな粒径のコルクチップや木屑が水分を適度に吸収し、雨天時の滑り止め効果を向上できる。また、ペダルの踏面のゴム部材等が磨耗した場合でも、ゴム部材等に混入しているコルクチップや木屑により摩擦力が持続する効果がある。
コルクチップや木屑の粒径は、０．１〜１．５ｍｍ、好ましくは、０．８〜１．２ｍｍ、より好ましくは１ｍｍを用いる。１ｍｍ程度の粒径のコルクチップ等がゴム部材等に混入されたものが、滑り止め効果を最もよく発揮できる。
なお、ゴム部材は、特に限定されないが、好ましくは天然ゴムを使用する。環境に配慮し、リサイクルを可能にするためである。
【０００６】
また、本考案の第２の観点の自転車用ペダルは、足裏の拇指球部分が当接する部位に配設させたゴム部材または合成樹脂部材に、粒径が０．１〜１．５ｍｍの無機質粒状物が混入された構成とする。
かかる構成によれば、第１の観点の自転車用ペダルの場合と同様に、ペダルの踏面のゴム部材等が磨耗した場合でも、ゴム部材等に混入している無機質粒状物により摩擦力が持続する効果がある。
ここで、無機質粒状物とは、例えば、山砂利、川砂利等の天然石、寒水石、珪砂、人工石、スラグ、セラミックス等の粒状物をいう。この無機質粒状物の堅さは、ゴム部材等の堅さよりも硬いものとする。
無機質粒状物の粒径は、０．１〜１．５ｍｍ、好ましくは、０．８〜１．２ｍｍ、より好ましくは１ｍｍを用いる。１ｍｍ程度の粒径の無機質粒状物がゴム部材等に混入されたものが、滑り止め効果を最もよく発揮できる。
【０００７】
また、本考案の第１の観点又は第２の観点の自転車用ペダルにおいて、足裏の拇指球部分に配設させたゴム部材等の表面に、波紋状のうねが形成されることが好ましい。
波紋状のうねが形成されることにより、滑り止め効果をより高めることができるからである。ここで、波紋状のうねの幅は、滑り止め効果を高めるために２〜３ｍｍとするのが好ましい。また、うねの高さは１ｍｍ程度が好ましい。波紋数は少なくとも３個とし、スペース上に問題がなければ７個程度形成するのが好ましい。
【０００８】
ここで、上記のゴム部材等の外側輪郭は、大きさの異なる２個又は３個の楕円体を部分的に重ね合わせた形状を呈することがより好ましい。２個又は３個の楕円体を部分的に重ね合わせることにより、足裏に広範囲に滑り止め用の樹脂部材を配置することができるからである。
ここで、足裏の拇指球部分はペダルの踏面で最も力がかかる部分であり、この部分の滑り止め効果を高めることが効果的であることから、最も大きな楕円体の中心辺りには、足裏の拇指球部分が当たるようにすべく、ゴム部材等の形状設計を行う。
【考案の効果】
【０００９】
本考案によれば、雨天時においても自転車用ペダルの踏面の滑り止め効果を維持でき、また、ペダルの踏面のゴム部材等が磨耗した場合でも、ゴム部材等に混入しているコルクチップ等によって摩擦力が持続でき、耐久性が向上できるといった効果がある。
【図面の簡単な説明】
【００１０】
【図１】実施例１の自転車用ペダルの外観斜視図
【図２】実施例１の自転車用ペダルの踏面の平面図
【図３】Ａ−Ａ´断面図
【図４】実施例２の自転車用ペダルの踏面の平面図
【図５】実施例３の自転車用ペダルの踏面の平面図
【考案を実施するための最良の形態】
【００１１】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１２】
図１は、実施例１の自転車用ペダルの外観斜視図を示している。
自転車用ペダルのボディ１は、ステンレス軽金属を金型で成形し、このボディ１の表裏に踏面２が形成されている。この踏面２には土よけ部５が設けられている。また踏面２の前後の縁部分には突起部８が設けられ、靴底との引っ掛かりを良くしている。また反射蛍光用のリフレクター６が設けられている。
【００１３】
図２は、この踏面２の平面図を示している。図２の平面図に示すように、踏面２には、滑り止め用のゴム部材１０が設けられている。踏面２には、ゴム部材貼着部３が設けてあり、このゴム部材貼着部３にゴム部材１０を接着している。このゴム部材１０は、大きさの異なる３個の楕円体を部分的に重ね合わせた外側輪郭の形状を呈している。最も大きな楕円体は、ペダルに足を載せた場合に、足裏の拇指球部分に当たる位置が楕円体の中心辺りになるように配置している。また、各楕円体には、滑り止め効果を高めるために、波紋状のうねが形成されている。波紋状のうねの幅は２ｍｍ程度としている。うねの高さは１ｍｍ程度である。波紋数は、最も大きな楕円体では７個で、最も小さな楕円体では３個である。
【００１４】
このゴム部材１０には、粒径が１ｍｍ程度のコルクチップが混入している。
１ｍｍ程度の粒径のコルクチップが混入していることにより、水分を適度に吸収でき、雨天時の滑り止め効果を向上させている。また、踏面２のゴム部材１０が磨耗した場合でも、ゴム部材１０に混入しているコルクチップにより摩擦力が持続することになり、ゴム部材１０の耐久性を向上している。
なお、ゴム部材１０の材質については、特に制限はなく、例えば、天然ゴム、スチレンブタジエンゴム、アクリルニトリルブタジエンゴム、ポリウレタンゴム、エチレンプロピレンターポリマー等を用いることができる。また、これらの混合物であってもよい。
【００１５】
図３は、図２におけるＡ−Ａ´断面図を示している。踏面はペダルの表裏にあり、図３の断面図に示すように、ペダル回転軸７の中心に点対称な形状を呈している。
【００１６】
（その他の実施例）
（１）実施例１では、ゴム部材は大きさの異なる３個の楕円体を部分的に重ね合わせた外側輪郭の形状であった。他の実施例として、図４に示すゴム部材１２の如く、大きさの異なる２個の楕円体を部分的に重ね合わせた外側輪郭の形状を成すものでもよい。ここで、図４の平面図中のＡ−Ａ´の断面図は上述の図３と同じである。
【００１７】
（２）実施例１では、ゴム部材は大きさの異なる３個の楕円体を部分的に重ね合わせた外側輪郭の形状であった。他の実施例として、図５に示すゴム部材１３の如く、１個の大きな楕円体の形状を成すものでもよい。ここで、図５の平面図中のＡ−Ａ´の断面図は上述の図３と同じである。
【００１８】
（３）実施例１では、ゴム部材には粒径が１ｍｍ程度のコルクチップが混入していた。他の実施例として、コルクチップに換えて、粒径が１ｍｍ程度の木屑や珪砂のような無機質粒状物をゴム部材に混入させたものでもよい。
【産業上の利用可能性】
【００１９】
本考案は、自転車用ペダルに有用である。
【符号の説明】
【００２０】
１    ボディ
２    踏面
３    ゴム部材貼着部
５    土よけ部
６    リフレクター
７    ペダル回転軸
８    突起部
１０，１２，１３  ゴム部材
１１  うね
【図１】
0003165902.tif 000003
【図２】
0003165902.tif 000004
【図３】
0003165902.tif 000005
【図４】
0003165902.tif 000006
【図５】
0003165902.tif 000007